(57)【要約】【課題】模倣対象に相応した形態変化を可能として当該形態変化による楽しさおよび面白さを遊戯者に供与できる玩具を提供する。【解決手段】玩具１０は、玩具１０の一端部を成す第１要素１１と、玩具１０の他端部を成す第２要素１２と、玩具１０の第１要素１１と第２要素１２との間を成す計６個の第３要素１３とを備えており、第１要素１１と第２要素１２と第３要素１３は、第１要素１１と第２要素１２とが離反した第１形態と、第１要素１１と第２要素１２とが接近した第２形態とに可逆的に変化可能に構成されている。【選択図】図１
2019188236.tif 000002
【特許請求の範囲】
【請求項１】
形態変化を可能とした玩具であって、
前記玩具の一端部を成す第１要素と、前記玩具の他端部を成す第２要素と、前記玩具の前記第１要素と前記第２要素との間で、弓形を成す複数個の第３要素とを備えており、
前記第１要素と前記第２要素と前記第３要素は、各々が変位可能、且つ着脱可能に連結され、前記第１要素と前記第２要素とが離反した第１形態と、前記第１要素と前記第２要素とが接近した第２形態とに可逆的に変化可能に構成され、
複数個の前記第３要素は、前記第１形態または前記第２形態において隣接する２個の前記第３要素の一方が他方の一部を覆うように構成されている、
玩具。
【請求項２】
前記第１要素と前記第２要素と前記第３要素は、異なる外観を有している、
請求項１に記載の玩具。
【請求項３】
前記第３要素は、複数個である、
請求項１または２に記載の玩具。
【請求項４】
複数個の前記第３要素は、類似した外観を有している、
請求項３に記載の玩具。
【請求項５】
前記第１要素と前記第２要素との接近は、前記第１要素に設けられた底部と前記第２要素に設けられた底部との接近である、
請求項１〜４のいずれか１項に記載の玩具。
【請求項６】
前記第１要素と前記第２要素と前記第３要素には、相互連結用の連結部が設けられている、
請求項１〜５のいずれか１項に記載の玩具。
【請求項７】
前記第３要素の前記連結部は、軸部と当該軸部に着脱可能に嵌め込み可能な軸支部とを有しており、
前記第１要素の前記連結部は、前記軸部と前記軸支部の一方を有しており、
前記第２要素の前記連結部は、前記軸部と前記軸支部の他方を有している、
請求項６に記載の玩具。
【請求項８】
前記連結部は、前記第１要素と前記第２要素と前記第３要素に設けられた支柱部に当該第１要素と当該第２要素と当該第３要素の上下方向に相当する第１方向に変位可能に設けられている、
請求項６または７に記載の玩具。
【請求項９】
前記連結部の前記第１方向の変位は、前記支柱部に設けられた変位制限部によって制限されている、
請求項８に記載の玩具。
【請求項１０】
前記連結部は、前記支柱部に前記第１方向と異なる方向に揺動可能に設けられている、
請求項８または９に記載の玩具。
【請求項１１】
前記第１要素と前記第２要素と前記第３要素のうち少なくとも前記第３要素には、前記第１形態において前記玩具を支持可能な支持部が設けられている、
請求項１〜１０のいずれか１項に記載の玩具。
【請求項１２】
前記支持部は、支持部本体と、前記支持部本体を回転可能に支える支持部副体とを有している、
請求項１１に記載の玩具。
【請求項１３】
前記支持部本体は、可撓性を有している、
請求項１２に記載の玩具。
【請求項１４】
前記支持部副体は、少なくとも前記第３要素に設けられた底部に当該第３要素の左右方向に相当する第２方向に変位でき、かつ、自らを中心として回転可能に設けられている、
請求項１２または１３に記載の玩具。
【請求項１５】
複数個の前記第３要素の外面は、凸曲面を成している、
請求項１〜１４のいずれか１項に記載の玩具。
【請求項１６】
複数個の前記第３要素は、前記第２形態において隣接する前記第３要素との干渉を回避するための切欠部を両端部に形成している、
請求項１〜１５のいずれか１項に記載の玩具。
【請求項１７】
複数個の前記第３要素は、前記第３要素間の隙間が、前記第１形態と前記第２形態とで異なるように構成されている、
請求項１〜１６のいずれか１項に記載の玩具。
【請求項１８】
前記第１要素と前記第２要素と前記第３要素は、硬質材料から形成されている、
請求項１〜１７のいずれか１項に記載の玩具。
【請求項１９】
複数個の前記第３要素には、並び順を示す番号が付されている、
請求項１〜１８のいずれか１項に記載の玩具。
【請求項２０】
前記玩具は、生物を模したものであり、
前記第１形態は前記生物が伸張した形態であり、前記第２形態は前記生物が球状に丸まった形態である、
請求項１〜１９のいずれか１項に記載の玩具。
【請求項２１】
前記玩具は、前記第２形態において物品排出装置からの排出を可能としている、
請求項１〜２０のいずれか１項に記載の玩具。
【発明の詳細な説明】
【技術分野】
【０００１】
本発明は、形態変化を可能とした玩具に関する。
【背景技術】
【０００２】
後記特許文献１には、縮退状態と展開状態とを取り得るように構成された殼体と、付勢力によって殼体を縮退状態とする縮退手段と、付勢力に抗して殼体を展開状態とする展開手段と、発条動力によって回転可能な車輪を有する走行手段と、を備えた動作玩具が開示されている。この動作玩具は、走行手段による展開状態での走行と、走行過程における縮退状態への変化とを可能としている。
【０００３】
しかしながら、前掲の動作玩具は、走行手段による展開状態での走行と、走行過程における縮退状態への変化とを主眼としたものであるため、殼体を例えば生物を模したものとしても、展開状態と縮退状態が当該生物と掛け離れた形態に成りやすく、それ故に形態変化に基づく楽しさおよび面白さを遊戯者に供与することが難しい。
【先行技術文献】
【特許文献】
【０００４】
【特許文献１】特開２００９−２４７６５７号公報
【発明の概要】
【発明が解決しようとする課題】
【０００５】
本発明が解決しようとする課題は、模倣対象に相応した形態変化を可能として当該形態変化による楽しさおよび面白さを遊戯者に供与できる玩具を提供することにある。
【課題を解決するための手段】
【０００６】
本発明に係る玩具は、形態変化を可能とした玩具であって、前記玩具の一端部を成す第１要素と、前記玩具の他端部を成す第２要素と、前記玩具の前記第１要素と前記第２要素との間で、弓形を成す複数個の第３要素とを備えており、前記第１要素と前記第２要素と前記第３要素は、各々が変位可能、且つ着脱可能に連結され、前記第１要素と前記第２要素とが離反した第１形態と、前記第１要素と前記第２要素とが接近した第２形態とに可逆的に変化可能に構成され、複数個の前記第３要素は、前記第１形態または前記第２形態において隣接する２個の前記第３要素の一方が他方の一部を覆うように構成されている。
【発明の効果】
【０００７】
本発明に係る玩具によれば、模倣対象に相応した形態変化を可能として当該形態変化による楽しさおよび面白さを遊戯者に供与することができる。
【図面の簡単な説明】
【０００８】
【図１】図１（Ａ）は本発明を適用した玩具の第１形態を示す平面図、図１（Ｂ）は図１（Ａ）に示した玩具の側面図である。
【図２】図２は図１に示した玩具の第２形態を示す側図面である。
【図３】図３（Ａ）は図１および図２に示した第１要素の拡大背面図、図３（Ｂ）は図３（Ａ）のＳ１−Ｓ１線断面図である。
【図４】図４（Ａ）は図１および図２に示した第２要素の拡大正面図、図４（Ｂ）は図４（Ａ）のＳ２−Ｓ２線断面図である。
【図５】図５（Ａ）は図１および図２に示した第３要素の拡大背面図、図５（Ｂ）は同拡大正面図、図５（Ｃ）は図５（Ａ）のＳ３−Ｓ３線断面図である。は
【図６】図６（Ａ）〜図６（Ｃ）は図１および図２に示した玩具の組立方法例の説明図である。
【発明を実施するための形態】
【０００９】
以下の説明では、便宜上、図１（Ａ）の左側を前、右側を後、下側を左、右側を右と表記し、図１（Ｂ）の上側を上、下側を下と表記し、他の図についてもこれらに準じて向きを表記する。
【００１０】
まず、図１および図２を用いて、本発明を適用した玩具１０の基本構成について説明する。
【００１１】
玩具１０はダンゴムシを模したものであり、図１は玩具１０の第１形態（ダンゴムシが例えば歩行や食餌等のために伸張した形態に相当）を示し、図２は玩具１０の第２形態（ダンゴムシが例えば防御や乾燥防止等のために球状に丸まった形態に相当）を示す。
【００１２】
玩具１０は、ダンゴムシの頭部および胸部第１節に対応する第１要素１１と、腹部および尾部に対応する第２要素１２と、胸部第２節〜第７節それぞれに対応する計６個の第３要素１３の他、触角に対応する１対の装飾部１４と、脚に対応する７対の支持部１５とを備えている。図１および図２から分かるように、第１要素１１と第２要素１２と第３要素１３は異なる外観を有し、計６個の第３要素１３は類似した外観を有している。
【００１３】
第１要素１１は玩具１０の前端部を成し、第２要素１２は玩具１０の後端部を成し、計６個の第３要素１３は玩具１０の第１要素１１と第２要素１２との間を成している。これら第１要素１１と第２要素１２と第３要素１３は、第１要素１１と第２要素１２とが離反した（例えば「接近していない」「接続していない」等）第１形態と、第１要素１１と第２要素１２とが接近した（例えば「近接している」「接続している」等）第２形態とに可逆的に変化可能に構成されている。ちなみに、第１要素１１と第２要素１２との接近は、具体的には例えば第１要素１１の底部１１ｃ（図３を参照）と第２要素１２の底部１２ｃ（図４を参照）との接近である。
【００１４】
後に詳述するが、第１要素１１と第２要素１２と計６個の第３要素１３は、各々が変位可能に連結されており、変位は回動変位であり、連結は着脱可能な連結である。第１形態において前後方向に並ぶ計６個の第３要素１３の外観は先に説明したように同一ではないため、連結の際に誤った連結をしないよう各第３要素１３、好ましくは各々の内面には、並び順を示す番号（図示省略）が付されている。
【００１５】
次に、図３を用いて、第１要素１１の具体構成について説明する。
【００１６】
第１要素１１は、ＡＢＳ樹脂やポリプロピレン等の硬質材料から形成されている。第１要素１１の要素本体１１ａは、全体が弓形で外面が凸曲面を成しており、後側と下側が開放されている。要素本体１１ａの後側開放端の内形（略逆Ｕ字形）は、最も前に位置する第３要素１３の要素本体１３ａの前側開放端の外形（略逆Ｕ字形、図５を参照）よりも大きい。すなわち、第１要素１１の要素本体１１ａの後側開放端の内側に、最も前に位置する第３要素１３の要素本体１３ａの前側部分が入り込めるようになっている。
【００１７】
要素本体１１ａの内側には、当該要素本体１１ａの内面から下方に延びる２本の支柱部１１ｂが左右方向に間隔をおいて設けられているとともに、両支柱部１１ｂの下端に板状の底部１１ｃが設けられている。また、２本の支柱部１１ｂには、連結部１１ｄが上下方向（以下第１方向と言う）に直線変位できるように設けられている。
【００１８】
２本の支柱部１１ｂの上部には凸部から成る変位制限部１１ｂ１が設けられているため、連結部１１ｄは、底部１１ｃと両変位制限部１１ｂ１によって制限された範囲内で第１方向の直線変位が可能である。また、連結部１１ｄに設けられた支柱部１１ｂに対応する２個の貫通孔１１ｄ１の内径は各支柱部１１ｂの外径よりも大きいため、連結部１１ｄは、第１方向と異なる方向（例えば前後方向および左右方向等）の揺動ができるようになっている。
【００１９】
連結部１１ｄの後面には、縦断面がＣ形を成す軸支部１１ｄが左右方向に設けられている。この軸支部１１ｄには、最も前に位置する第３要素１３の軸部１３ｆを着脱可能に嵌め込み可能である（図６（Ａ）を参照）。
【００２０】
底部１１ｃには、１対の装飾部１４を着脱可能に取り付けるための２個の差込孔１１ｃ１が左右方向に間隔をおいて設けられている。各装飾部１４は、差込孔１１ｃ１に対応する差込部１４ａをその基部に有している（図３を参照）。ちなみに、１対の装飾部１４は、ポリエチレンテレフタレートやポリエチレン等の軟質材料から形成されており、可撓性を有している。
【００２１】
次に、図４を用いて、第２要素１２の具体構成について説明する。なお、図４（Ｂ）は図４（Ａ）のＳ２−Ｓ２線断面図であるが、支持部１５の図示を省略している。
【００２２】
第２要素１２は、第１要素１１と同様に、ＡＢＳ樹脂やポリプロピレン等の硬質材料から形成されている。第２要素１２の要素本体１２ａは、全体が弓形で外面が凸曲面を成しており、前側と下側が開放されている。要素本体１２ａの前側開放端の外形（略逆Ｕ字形）は、最も後ろに位置する第３要素１３の要素本体１３ａの後側開放端の内形（略逆Ｕ字形、図５を参照）よりも小さい。すなわち、最も後ろに位置する第３要素１３の要素本体１３ａの後側開放端の内側に、第２要素１２の要素本体１２ａの前側部分が入り込めるようになっている。
【００２３】
要素本体１２ａの内側には、当該要素本体１２ａの内面から下方に延びる２本の支柱部１２ｂが左右方向に間隔をおいて設けられているとともに、両支柱部１２ｂの下端に板状の底部１２ｃが設けられている。また、２本の支柱部１２ｂには、連結部１２ｄが第１方向に直線変位できるように設けられている。
【００２４】
２本の支柱部１２ｂの上部には凸部から成る変位制限部１２ｂ１が設けられているため、連結部１２ｄは、底部１２ｃと両変位制限部１２ｂ１によって制限された範囲内で第１方向の直線変位が可能である。また、連結部１２ｄに設けられた支柱部１２ｂに対応する２個の貫通孔１２ｄ１の内径は各支柱部１２ｂの外径よりも大きいため、連結部１２ｄは、第１方向と異なる方向（例えば前後方向および左右方向等）に揺動できるようになっている。
【００２５】
連結部１２ｄの前面には、左右両端の鍔部（符号省略）を介して軸部１２ｅが左右方向に設けられている。この軸部１２ｅは、最も後ろに位置する第３要素１３の軸支部１３ｅに着脱可能に嵌め込み可能であり（図６（Ｃ）を参照）、当該嵌め込みのために連結部１２ｄの前面から若干前方に離れている。
【００２６】
底部１２ｃには、１対の支持部１５を取り付けるための２個の長孔１２ｃ１が左右方向に間隔をおいて設けられている。各支持部１５は、支持部本体１５ａと、支持部本体１５ａを回転可能に支える支持部副体１５ｂとを有しており、支持部副体１５ｂには底部１２ｃの長孔１２ｃ１内を左右方向（以下第２方向と言う）に直線変位可能な柱部分（符号省略）を有する抜け防止部１５ｃが設けられている。すなわち、各支持部１５は、支持部本体１５ａが支持部副体１５ｂに対して回転可能であるとともに、支持部副体１５ｂが第２方向に直線変位でき、かつ、自らを中心として回転できるようになっている。ちなみに、１対の支持部１５の少なくとも支持部本体１５ａは、ポリエチレンテレフタレートやポリエチレン等の軟質材料から形成されており、可撓性を有している。
【００２７】
次に、図５を用いて、各第３要素１３の具体構成について説明する。なお、図５（Ｃ）は図５（Ａ）のＳ３−Ｓ３線断面図であるが、支持部１５の図示を省略している。
【００２８】
各第３要素１３は、第１要素１１および第２要素１２と同様に、ＡＢＳ樹脂やポリプロピレン等の硬質材料から形成されており、図１に示したように要素本体１３ａの左右方向寸法が若干異なる点以外は類似した外観を有している。
【００２９】
各第３要素１３の要素本体１３ａは、全体が弓形で外面が凸曲面を成しており、後側と前側と下側が開放されている。各第３要素１３の要素本体１３ａは、前側開放端の外形（略逆Ｕ字形）が後側開放端の外形（略逆Ｕ字形）よりも小さく、前側開放端の下端部それぞれに干渉回避用の切欠部１３ａ１が形成されている。
【００３０】
また、前後方向で隣接する２個の第３要素１３のうち、前側の第３要素１３の要素本体１３ａの後側開放端の内形（略逆Ｕ字形）は、後側の第３要素１３の要素本体１３ａの前側開放端の外形（略逆Ｕ字形）よりも小さい。すなわち、計６個の第３要素１３は、そのうち１個の第３要素１３の要素本体１３ａの後側開放端の内側に、その後側の第３要素１３の要素本体１３ａの前側部分が入り込めるようになっている。
【００３１】
各要素本体１３ａの内側には、当該要素本体１３ａの内面から下方に延びる２本の支柱部１３ｂが左右方向に間隔をおいて設けられているとともに、両支柱部１３ｂの下端に板状の底部１３ｃが設けられている。また、２本の支柱部１３ｂには、連結部１３ｄが第１方向に直線変位できるように設けられている。
【００３２】
２本の支柱部１３ｂの上部には凸部から成る変位制限部１２ｂ１が設けられているため、連結部１３ｄは、底部１３ｃと両変位制限部１３ｂ１によって制限された範囲内で第１方向の直線変位が可能である。また、連結部１３ｄに設けられた支柱部１３ｂに対応する２個の貫通孔１３ｄ１の内径は各支柱部１３ｂの外径よりも大きいため、連結部１３ｄは、第１方向と異なるする方向（例えば前後方向および左右方向等）に揺動できるようになっている。
【００３３】
連結部１３ｄの後面には、縦断面がＣ形を成す軸支部１３ｅが左右方向に設けられている。この軸支部１３ｄには、その後ろに位置する第３要素１３の軸部１３ｆを着脱可能に嵌め込み可能である（図６（Ｂ）を参照）。また、連結部１３ｄの前面には、左右両端の鍔部（符号省略）を介して軸部１３ｆが左右方向に設けられている。この軸部１３ｆは、その前に位置する第３要素１３の軸支部１３ｆに着脱可能に嵌め込み可能であり（図６（Ｂ）を参照）、当該嵌め込みのために連結部１３ｄの前面から前方に若干離れている。
【００３４】
底部１３ｃには、１対の支持部１５を取り付けるための２個の長孔１３ｃ１が左右方向に間隔をおいて設けられている。各支持部１５は、第２要素１２の１対の支持部１５と同様に、支持部本体１５ａと、支持部本体１５ａを回転可能に支える支持部副体１５ｂとを有しており、支持部副体１５ｂには底部１３ｃの長孔１３ｃ１内を第２方向に直線変位可能な柱部分（符号省略）を有する抜け防止部１５ｃが設けられている。すなわち、各支持部１５は、支持部本体１５ａが支持部副体１５ｂに対して回転可能であるとともに、支持部副体１５ｂが第２方向に直線変位でき、かつ、自らを中心として回転できるようになっている。ちなみに、１対の支持部１５の少なくとも支持部本体１５ａは、ポリエチレンテレフタレートやポリエチレン等の軟質材料から形成されており、可撓性を有している。
【００３５】
次に、図６を用いて、第１要素１１と第２要素１２と計６個の第３要素１３とが非連結状態にあり、計６個の第３要素１３の内面に並び順を示す番号が付されている場合における玩具１０の組立方法例について、作用効果を交えて説明する。なお、ここで説明する組立方法はあくまでも一例であって、玩具１０の組立方法を限定するものではない。
【００３６】
最初に、第１要素１１と１番の番号が付された第３要素１３を用意し、図６（Ａ）に示したように、第１要素１１の軸支部１１ｅに１番目の第３要素１３の軸部１３ｆを嵌め込む。第１要素１１に１対の装飾部１４が取り付けられていない場合には、各装飾部１４の差込部１４ａを第１要素１１の各差込孔１１ｃ１に差し込む。続いて、２番の番号が付された第３要素１３を用意し、図６（Ｂ）に示したように、１番目の第３要素１３の軸支部１３ｅに２番目の第３要素１３の軸部１３ｆを嵌め込む。続いて、これと同様の嵌め込みを３番〜６番の番号が付された第３要素１３に対して順に施す。続いて、第２要素１２を用意し、図６（Ｃ）に示したように、６番目の第３要素１３の軸支部１３ｅに第２要素１２の軸部１２ｅを嵌め込む。以上で玩具１０の組立が完了する。
【００３７】
第１要素１１の軸支部１１ｅへの第３要素１３の軸部１３ｆの嵌め込みと、第３要素１１の軸支部１３ｅへの別の第３要素１３の軸部１３ｆの嵌め込みと、第３要素１１の軸支部１３ｅへの第２要素１２の軸部１２ｅの嵌め込みがそれぞれ着脱可能であるため、各々の嵌め込みを解除することにより、第１要素１１と第２要素１２と計６個の第３要素１３を非連結状態に戻すことができる。
【００３８】
次に、図１および図２を用いて、組立後の玩具１０を第１形態と第２形態とに可逆的に変化させる方法例について説明する。なお、ここで説明する形態変化の方法はあくまでも一例であって、玩具１０の形態変化の方法を限定するものではない。
【００３９】
組立後の玩具１０を図１に示した第１形態に変化させるときには、第１要素１１の軸支部１１ｅに対して１番目の第３要素１３の軸部１３ｆを回動（玩具１０を伸張させる方向への回動）させ、１番目〜５番目の第３要素１３の軸支部１３ｅそれぞれに対して２番目〜６番目の第３要素１３の軸部１３ｆを回動（玩具１０を伸張させる方向への回動）させ、６番目の第３要素１３の軸支部１３ｅに対して第２要素１２の軸部１２ｅを回動（玩具１０を伸張させる方向への回動）させるようにして、組立後の玩具１０を極力伸張させる。
【００４０】
第１要素１１の連結部１１ｄと第２要素１２の連結部１２ｄと各第３要素１３の連結部１３ｄのそれぞれが第１方向の直線変位が可能で、かつ、第１方向と異なる方向の揺動が可能であるため、組立後の玩具１０を伸張させる際には、各連結部１１ｄ、連結部１２ｄおよび連結部１３ｄは第１方向に直線変位し、かつ、第１方向と異なる方向に揺動する。
【００４１】
換言すれば、各連結部１１ｄ、１２ｄおよび１３ｄの第１方向の直線変位と第１方向と異なる方向の揺動によって、第１要素１１に対する１番目の第３要素１４の位置と、１番目〜５番目の第３要素１３それぞれに対する２番目〜６番目の第３要素１３それぞれの位置と、６番目の第３要素１３に対する第２要素１２の位置が、適宜変わるようになっているため、これら位置変化により組立後の玩具１０を極力伸張させて第１形態をより実物に近付けることができる。また、第１方向の直線変位を許容する構造とすることで第１要素１１の軸支部１１ｅに対する第３要素１３の軸部１３ｆの回動範囲を変化させることができる。具体的には、各連結部１１ｄ、１２ｄおよび１３ｄを最も上方に位置させることで、回動範囲を小さくすることができる一方、最も下方に位置させることで、回動範囲を大きくすることができる。なお、第１方向と異なる方向への揺動を許容しない構造とした場合であっても、各連結部１１ｄ、１２ｄおよび１３ｄの第１方向の直線変位を許容する構造であれば、第１形態を実物に近付けることができる。
【００４２】
また、第１要素１１の要素本体１１ａの後側開放端の内側に１番目の第３要素１３の要素本体１３ａの前側部分が入り込めるようになっており、１番目〜５番目の第３要素１３の要素本体１３ａの後側開放端の内側それぞれに２番目〜６番目の第３要素１３の要素本体１３ａの前側部分それぞれが入り込めるようになっており、６番目の第３要素１３の要素本体１３ａの後側開放端の内側に第２要素１２の要素本体１２ａの前側部分が入り込めるようになっているため、これら入り込み（一方が他方の一部を覆うこと）により組立後の玩具１０を極力伸張させて第１形態を実物に近付けることができる。
【００４３】
さらに、第１形態では、各第３要素１３に設けられた１対の支持部１５と第２要素１２に設けられた１対の支持部１５が下方に突出するため、計７対の支持部１５を利用して、第１形態にある玩具本体１０を卓上等に載置することができる。各支持部１５の支持部本体１５ａは先に説明したように所定の自由度下で動かすことができ、しかも、支持部本体１５ａが可撓性を有しているため、各支持部１５の支持部本体１５ａの向きを適宜調整することによって第１形態を実物により近付けることができるとともに、卓上等への載置も良好に行うことができる。
【００４４】
一方、第１形態の玩具本体１０を図２に示した第２形態に変化させるときには、第１要素１１から１対の装飾部１４を取り外すとともに、計７対の支持部１５の支持部本体１５ａを第２要素１２の内側と各第３要素１３の内側に隠れるように動かす。各支持部１５の支持部本体１５ａは先に説明したように所定の自由度下で動かすことができるため、この操作は簡単に行うことできる。
【００４５】
続いて、第１要素１１の軸支部１１ｅに対して１番目の第３要素１３の軸部１３ｆを回動（玩具１０を丸める方向への回動）させ、１番目〜５番目の第３要素１３の軸支部１３ｅそれぞれに対して２番目〜６番目の第３要素１３の軸部１３ｆを回動（玩具１０を丸める方向への回動）させ、６番目の第３要素１３の軸支部１３ｅに対して第２要素１２の軸部１２ｅを回動（玩具１０を丸める方向への回動）させるようにして、第１形態の玩具本体１０を丸める。続いて、第１要素１１の底部１１ｃと第２要素１２の底部１２ｃとを接近させるとともに、各第３要素１３の向きを整えることで、全体が極力球状になるようにする。
【００４６】
第１要素１１の連結部１１ｄと第２要素１２の連結部１２ｄと各第３要素１３の連結部１３ｄのそれぞれが第１方向の直線変位が可能で、かつ、第１方向と異なる方向の揺動が可能であるため、第１形態の玩具１０を丸める際には、各連結部１１ｄ、連結部１２ｄおよび連結部１３ｄは第１方向に直線変位し、かつ、第１方向と異なる方向に揺動する。
【００４７】
換言すれば、各連結部１１ｄ、１２ｄおよび１３ｄの第１方向の直線変位と第１方向と異なる方向の揺動によって、第１要素１１に対する１番目の第３要素１４の位置と、１番目〜５番目の第３要素１３それぞれに対する２番目〜６番目の第３要素１３それぞれの位置と、６番目の第３要素１３に対する第２要素１２の位置が、適宜変わるようになっているため、これら位置変化により第１形態の玩具１０を極力球状に丸めて第２形態を実物に近付けることができる。また、第１方向の直線変位を許容する構造とすることで第３要素１３の軸支部１３ｅに対する第３要素１３の軸部１３ｆの回動範囲を変化させることができる。具体的には、各連結部１１ｄ、１２ｄおよび１３ｄを最も上方に位置させることで、回動範囲を小さくすることができる一方、最も下方に位置させることで、回動範囲を大きくすることができる。なお、第１方向と異なる方向への揺動を許容しない構造とした場合であっても、各連結部１１ｄ、１２ｄおよび１３ｄの第１方向の直線変位を許容する構造であれば、第１形態を実物に近付けることができる。
【００４８】
また、第１要素１１の要素本体１１ａの後側開放端の内側に１番目の第３要素１３の要素本体１３ａの前側部分が入り込めるようになっており、１番目〜５番目の第３要素１３の要素本体１３ａの後側開放端の内側それぞれに２番目〜６番目の第３要素１３の要素本体１３ａの前側部分それぞれが入り込めるようになっており、６番目の第３要素１３の要素本体１３ａの後側開放端の内側に第２要素１２の要素本体１２ａの前側部分が入り込めるようになっているため、これら入り込み（一方が他方の一部を覆うこと）により第１形態の玩具１０を極力球状に丸めて第２形態を実物に近付けることができる。
【００４９】
さらに、各第３要素１２の要素本体１３ａの前側開放端の下端部それぞれに干渉回避用の切欠部１３ａ１が形成されているため、第１形態の玩具１０を丸めるときに、第１要素１１の底部１１ｃ等に１番目の第３要素１３の要素本体１３ａが干渉したり、１番目〜５番目の第３要素１３の底部１３ｃ等それぞれに２番目〜６番目の第３要素１３の要素本体１３ａそれぞれが干渉したりすることを回避し、第１形態の玩具１０を極力球状に丸めて第２形態を実物に近付けることができる。
【００５０】
さらに、計７対の支持部１５の支持部本体１５ａは先に説明したように所定の自由度下で動くことができ、しかも、各支持部本体１５ａは可撓性を有しているため、第１形態の玩具１０を丸める前に第２要素１２の内側と各第３要素１３の内側に隠れるように動かした各支持部本体１５ａが、第１形態の玩具１０を丸めるときに障害となったり外に飛び出したりすることを防止して、第１形態の玩具１０を極力球状に丸めて第２形態を実物に近付けることができる。  
【００５１】
さらに、図２に示した第２形態は玩具１０が球状に丸まった形態であるため、第１要素１１、第２要素１２、及び各第３要素１３により形成される内部空間に、例えば玩具１０と関連のある付属物を収容することができる。また、第２形態は第１形態と異なり、玩具１０が球状に丸まった形態であるため、第２形態の玩具１０が例えば物品排出装置内に複数収容する場合であっても他の第２形態の玩具１０との干渉を極力回避することができるので、球状に丸まった形態そのもの、或いは、これをフィルム等で包装したものを、物品排出装置の排出対象、例えば硬貨等を投入してハンドルを操作することで物品が排出される物品排出装置の商品とすることもできる。このように、第２の形態の玩具１０は、遊戯に使用されるだけではなく、物品排出装置で販売する際にも使用されることができる。
【００５２】
他方、第２形態の玩具本体１０を図１に示した第１形態に変化させるときには、第１形態の玩具本体１０を図２に示した第２形態に変化させるときと逆の手順で、玩具１０を極力伸張させればよい。
【００５３】
なお、各第３要素１３はその軸部１３ｆを中心として回動変位するため、組立後の玩具１０を図１に示した第１形態に変化させた後の第３要素１３間の隙間は、第１形態の玩具本体１０を図２に示した第２形態に変化させた後の第３要素１３間の隙間とは異なる。具体的には、各第３要素１３の要素本体１３ａの形や回動変位の角度等にもよるが、計６個の第３要素１３が類似した外観を有する場合、第１形態に変化させた後の第３要素１３間の隙間は第２形態に変化させた後の第３要素１３間の隙間よりも大きくなる。第２形態に変化させた後の第３要素１３間の隙間が内部を視認できる程度に大きくなると第２形態を実物に近付けることが難しくなるため、第２形態に変化させた後の第３要素１３間の隙間が極力小さくなるように、各第３要素１３の形や回動変位の角度等を設計によって予め調整しておくことが望ましい。
【００５４】
次に、前記同様の作用効果を得ることができる前記玩具１０の変形例について説明する。
【００５５】
〈第１変形例〉第１形態の玩具本体１０を図２に示した第２形態に変化させるときに、第１形態の玩具本体１０を丸めた後に第１要素１１の底部１１ｃと第２要素１２の底部１２ｃとを接近させる方法を示したが、第１要素１１の底部１１ｃと第２要素１２の底部１２ｃの一方に凸部を設け他方に当該凸部が着脱可能に嵌まり込む凹部を設けておければ、凸部と凹部との嵌め合いによって、接近させた後の第１要素１１の底部１１ｃと第２要素１２の底部１２ｃとが離れることを防止できるし、玩具本体１０を第２形態に維持することができる。
【００５６】
〈第２変形例〉玩具１０として計６個の第３要素１３を有するものを示したが、第３要素１３の数には特段の制限はなく、例えば、６個未満としてもよいし、６個超過としてもよい。
【００５７】
〈第３変形例〉第１要素１１に軸支部１１ｅを設け、第２要素１２に軸部１２ｅを設け、各第３要素１３の後ろに軸支部１３ｅを設け前に軸部１３ｆを設けたものを示したが、第１要素１１に軸部を設け、第２要素１２に軸支部を設け、各第３要素１３の後ろに軸部を設け前に軸支部を設けるようにしてもよい。
【００５８】
〈第４変形例〉第１要素１１の要素本体１１ａの形を図３に示し、第２要素１２の要素本体１２ａの形を図４に示し、各第３要素１３の要素本体１３ａの形（基本形）を図５に示したが、第１要素１１の形と第２要素１２の形と各第３要素１３の形は全体が弓形で外面が凸曲面を成していれば、図３〜図５に示した形以外の形、例えば、各々の外面を成す凸曲面の湾曲度合いを異ならせたものや、縦断面の角度を異ならせたものや、前後方向寸法を異ならせたものを採用してもよい。また、各第３要素１３として左右方向寸法が若干異なる外観が類似したものを示したが、各第３要素１３の外面を成す凸曲面の湾曲度合いを異ならせたものや、各第３要素１３の縦断面の角度を異ならせたものや、各第３要素１３の上下方向寸法が異なるものを採用してもよい。
【００５９】
〈第５変形例〉玩具１０としてダンゴムシを模したものを示したが、伸張した形態と球状に丸まった形態とに変化し得る他の生物、例えば、ムカデやヤスデの他、アルマジロやハリネズミや猫やハムスターやヤマネ等を模倣対象としてよい。模倣対象が体毛等を有する場合には第１要素１１と第２要素１２と各第３要素１３の外面に体毛に似せた装飾を施せばよく、脚の数が異なる場合には支持部１５の数を増減すればよい。
【符号の説明】
【００６０】
１０…玩具、１１…第１要素、１１ａ…要素本体、１１ｂ…支柱部、１１ｂ１…変位制限部、１１ｃ…底部、１１ｄ…連結部、１１ｅ…軸支部、１２…第２要素、１２ａ…要素本体、１２ｂ…支柱部、１２ｂ１…変位制限部、１２ｃ…底部、１２ｄ…連結部、１２ｅ…軸部、１３…第３要素、１３ａ…要素本体、１３ｂ…支柱部、１３ｂ１…変位制限部、１３ｃ…底部、１３ｄ…連結部、１３ｅ…軸支部、１３ｆ…軸部、１４…支持部、１４ａ…支持部本体、１４ｂ…支持部副体、１５…装飾部。
【図１】
2019188236.tif 000003
【図２】
2019188236.tif 000004
【図３】
2019188236.tif 000005
【図４】
2019188236.tif 000006
【図５】
2019188236.tif 000007
【図６】
2019188236.tif 000008